(57)【要約】【課題】  筐体と引出部とで異なるローラを用いて、引出部のスライド時における負荷を軽減できるドロア装置およびそれを備えたレジスタを提供する。【解決手段】  筐体２内に引出部５がスライド収納される際に、引出部５に設けられた引出ローラ１６が筐体２に設けられた筐体ガイドレール１３に沿って相対移動するように且つ筐体２に設けられた筐体ローラ１４が引出部５に設けられた引出ガイドレール１５に沿って相対移動するように構成されているドロア装置１であって、引出ローラ１６の側面における筐体２への接触面積が筐体ローラ１４の側面における引出部５への接触面積よりも小さく設定されている。従って、筐体２の内側面に対する引出ローラ１６の摩擦抵抗を、引出部５の外側面に対する筐体ローラ１４の摩擦抵抗よりも小さくできる。【選択図】        図６
2019096082.tif 000002
【特許請求の範囲】
【請求項１】
筐体内に引出部がスライド収納される際に、前記引出部に設けられた第１ローラが前記筐体に設けられた第１ガイドレールに沿って相対移動するように且つ前記筐体に設けられた第２ローラが前記引出部に設けられた第２ガイドレールに沿って相対移動するように構成されているドロア装置であって、
前記第１ローラの側面における前記筐体への接触面積が前記第２ローラの側面における前記引出部への接触面積よりも小さく設定されていることを特徴とするドロア装置。
【請求項２】
内部の両側部に第１ガイドレールが設けられた筐体と、
前記筐体内にスライド可能に収納され、かつ両側部に第２ガイドレールが設けられた引出部と、
前記引出部の奥側の両側部に設けられて、前記筐体の前記第１ガイドレールに沿って回転しながら移動する第１ローラと、
前記筐体内における前部の両側部に設けられて、前記引出部の前記第２ガイドレールが移動可能に配置される第２ローラと、
を備え、
前記筐体の側面に対する前記第１ローラの側面の接触面積が、前記引出部の側面に対する前記第２ローラの側面の接触面積よりも小さく設定されていることを特徴とするドロア装置。
【請求項３】
請求項１または請求項２に記載のドロア装置において、前記第１ローラと前記第２ローラとは、外径が同じ大きさで、前記第１ローラの前記接触面積が前記第２ローラの前記接触面積よりも小さく設定されていることを特徴とするドロア装置。
【請求項４】
請求項１〜請求項３のいずれかに記載のドロア装置において、前記第１ローラは、回転中心部に設けられた円筒状の軸受部の外端部が前記筐体の側面に接触し、前記第２ローラは、回転中心部を除く外側面が前記引出部の側面に接触することを特徴とするドロア装置。
【請求項５】
請求項１〜請求項４のいずれかに記載のドロア装置において、前記第２ローラは、前記第１ローラよりも強度が高く形成されていることを特徴とするドロア装置。
【請求項６】
内部の両側部に第１ガイドレールが設けられた筐体と、
前記筐体内にスライド可能に収納され、かつ両側部に第２ガイドレールが設けられた引出部と、
前記引出部の奥側の両側部に設けられて、前記筐体の前記第１ガイドレールに沿って回転しながら移動する第１ローラと、
前記筐体内における前部の両側部に設けられて、前記引出部の前記第２ガイドレールが移動可能に配置される第２ローラと、
を備え、
前記筐体の側面に対する前記第１ローラの側面の接触面積が、前記引出部の側面に対する前記第２ローラの側面の接触面積よりも小さく設定されていることを特徴とするレジスタ。
【発明の詳細な説明】
【技術分野】
【０００１】
この発明は、レジスタなどの機器に用いられるドロア装置およびそれを備えたレジスタに関する。
【背景技術】
【０００２】
例えば、レジスタのドロア装置においては、特許文献１に記載されているように、筐体内に引出部を円滑に引出可能に収納するために、筐体内の両側部に筐体ガイドレールと筐体ガイドローラとを設け、引出部の両側の外面に引出ガイドレールと引出ガイドローラとを設けた構造のものが知られている。
【先行技術文献】
【特許文献】
【０００３】
【特許文献１】特開２００３−１９６７４０号公報
【０００４】
この種のドロア装置は、筐体内で引出部をスライドさせる際に、引出部の引出ガイドレールが筐体の筐体ガイドローラ上を移動し、かつ引出部の引出ガイドローラが筐体の筐体ガイドレールの下面に当接して回転しながら移動することにより、筐体に対して引出部がスライドするように構成されている。
【発明の概要】
【発明が解決しようとする課題】
【０００５】
このようなドロア装置では、筐体内を引出部がスライドする際に、筐体ガイドローラの側面が引出部の外側面に接触すると筐体ガイドローラに摩擦抵抗が発生し、また引出ガイドローラの側面が筐体の内側面に接触すると引出ガイドローラに摩擦抵抗が発生するため、引出部に負荷が加わる。
【０００６】
この場合、筐体ガイドローラの外径と引出ガイドローラの外径とが同じ大きさで、筐体ガイドローラと引出ガイドローラとが同じ構造であると、筐体ガイドローラに発生する摩擦抵抗と引出ガイドローラに発生する摩擦抵抗とが同じなるため、全体の摩擦抵抗が大きくなるという問題がある。
【０００７】
この発明が解決しようとする課題は、筐体と引出部とで異なるローラを用いて、引出部のスライド時における負荷を軽減できるドロア装置およびそれを備えたレジスタを提供することである。
【課題を解決するための手段】
【０００８】
この発明は、筐体内に引出部がスライド収納される際に、前記引出部に設けられた第１ローラが前記筐体に設けられた第１ガイドレールに沿って相対移動するように且つ前記筐体に設けられた第２ローラが前記引出部に設けられた第２ガイドレールに沿って相対移動するように構成されているドロア装置であって、前記第１ローラの側面における前記筐体への接触面積が前記第２ローラの側面における前記引出部への接触面積よりも小さく設定されていることを特徴とするドロア装置である。
【０００９】
また、この発明は、内部の両側部に第１ガイドレールが設けられた筐体と、前記筐体内にスライド可能に収納され、かつ両側部に第２ガイドレールが設けられた引出部と、前記引出部の奥側の両側部に設けられて、前記筐体の前記第１ガイドレールに沿って回転しながら移動する第１ローラと、前記筐体内における前部の両側部に設けられて、前記引出部の前記第２ガイドレールが移動可能に配置される第２ローラと、を備え、前記筐体の側面に対する前記第１ローラの側面の接触面積が、前記引出部の側面に対する前記第２ローラの側面の接触面積よりも小さく設定されていることを特徴とするドロア装置である。
【発明の効果】
【００１０】
この発明によれば、筐体と引出部とで異なるローラを用いることにより、引出部のスライド時における負荷を軽減することができる。
【図面の簡単な説明】
【００１１】
【図１】この発明を適用した電子レジスタのドロア装置の一実施形態を示した分解斜視図である。
【図２】図１に示されたドロア装置のケース本体を示した拡大斜視図である。
【図３】図１に示されたドロア装置の引出部を示した拡大斜視図である。
【図４】図２に示されたケース本体の要部を示した拡大斜視図である。
【図５】図３に示された引出部のローラ取付部を示した要部の拡大斜視図である。
【図６】図１に示された筐体のケース本体内に引出部を挿入させた状態を示した要部の拡大斜視図である。
【図７】図４に示された筐体ローラを示し、（ａ）は筐体ローラを分解して示した拡大斜視図、（ｂ）は筐体ローラの一部を断面で示した拡大側面図である。
【図８】図５に示された引出ローラを示し、（ａ）はその拡大斜視図、（ｂ）は引出ローラを分解して示した拡大斜視図である。
【図９】図８（ａ）に示された引出ローラを示し、（ａ）は引出ローラを正面から見た拡大正面図、（ｂ）は（ａ）のＡ−Ａ矢視において一部を断面で示した拡大側面図、（ｃ）は引出ローラを正面と反対側から見た拡大裏面図である。
【発明を実施するための形態】
【００１２】
以下、図１〜図９を参照して、この発明を電子レジスタに適用した一実施形態について説明する。
この電子レジスタは、図１に示すように、ドロア装置１を備えている。このドロア装置１は、筐体２と引出部５とを備え、この筐体２の内部に引出部５が引出可能に収納されるように構成されている。この筐体２は、上部にレジスタ本体（図示せず）が設けられるものであり、合成樹脂のケース本体３と金属製のカバーケース４とを備えている。
【００１３】
ケース本体３は、図１および図２に示すように、上部が開放されたほぼ箱形状に形成されている。すなわち、このケース本体３は、底部３ａと前枠部３ｂと背面部３ｃと両側の側面部３ｄとを備えている。前枠部３ｂと背面部３ｃとは、外形が同じ大きさのほぼ長方形状に形成されており、前枠部３ｂには、引出部５が挿入する開口部３ｅが設けられている。両側の側面部３ｄは、その高さが前枠部３ｂと背面部３ｃとの高さよりも低く形成されている。
【００１４】
カバーケース４は、図１に示すように、上面カバー部４ａと両側の側面カバー部４ｂとを備えている。上面カバー部４ａは、ケース本体３の上面部と同じ大きさの四角形状に形成されて、ケース本体３の上面部に配置されるように構成されている。両側の側面カバー部４ｂは、ケース本体３の前枠部３ｂと背面部３ｃとの高さと同じ高さの長方形状に形成されて、ケース本体３の両側の側面部３ｄを覆って配置されるように構成されている。
【００１５】
引出部５は、図１および図３に示すように、金銭を収納するものであり、上部が開放されたほぼ箱形状に形成されている。この引出部５は、引出方向の長さ（奥行き）がケース本体３の引出方向の長さよりも短く形成され、引出方向と直交する幅方向の長さがケース本体３の前枠部３ｂの開口部３ｅにおける幅方向の長さとほぼ同じ長さで形成されている。
【００１６】
また、この引出部５は、図１および図３に示すように、前面部５ａの外形がケース本体３の前枠部３ｂの外形とほぼ同じ大きさで、前枠部３ｂの開口部３ｅの形状よりも大きく形成されている。これにより、引出部５は、ケース本体３の前枠部３ｂにおける開口部３ｅから筐体２内に挿入され、前面部５ａが前枠部３ｂに当接して引出部５の後部がケース本体３の背面部３ｃから離れた状態で、筐体２内に収納されるように構成されている。
【００１７】
この引出部５の内部には、図１および図３に示すように、硬貨収納部６と紙幣収納部７とが設けられている。硬貨収納部６は、硬貨を種類ごとに収納するものであり、引出部５の前部側に設けられ、その内部が金種ごとに複数に仕切られている。紙幣収納部７は、紙幣を種類ごとに収納するものであり、引出部５の後部側に設けられ、その内部が金種ごとに複数に仕切られている。この紙幣収納部７には、複数に仕切られた各内部に紙幣を押える押え部７ａがそれぞれ設けられている。
【００１８】
また、この引出部５の後端部には、図１および図３に示すように、一対のローラ取付部８が後方に向けて突出して設けられている。すなわち、一対のローラ取付部８は、引出部５の後端部の両側部にそれぞれ設けられている。この場合にも、引出部５は、筐体２内に収納された際に、一対のローラ取付部８がケース本体３の背面部３ｃに当接することなく、筐体２内に収納されるように構成されている。また、この引出部５の前面部５ａには、筐体２内に収納された引出部５を施錠する施錠部１０が設けられている。
【００１９】
また、筐体２内における後部には、図１および図２に示すように、筐体２内に収納された引出部５をロックするロック装置１１が設けられている。このロック装置１１は、引出部５の後端部に設けられた係合ピン（図示せず）をロックするロック部１１ａと、このロック部１１ａによるロックを解除するロック解除部１１ｂと、ロック部１１ａによるロックが解除された引出部５を筐体２の内部から外部に向けて押し出すコイルばね１１ｃと、を備えている。
【００２０】
これにより、ロック装置１１は、図１および図２に示すように、筐体２内に引出部５が収納された際に、引出部５によってコイルばね１１ｃが圧縮された状態で、引出部５の係合ピン（図示せず）をロック部１１ａでロックするように構成されている。また、このロック装置１１は、レジスタ本体（図示せず）のキー操作によってロック解除部１１ｂがロック部１１ａによる引出部５の係合ピンのロックを解除した際に、コイルばね１１ｃのばね力によって引出部５を筐体２内から押し出すように構成されている。
【００２１】
ところで、このドロア装置１は、図１〜図３、図６に示すように、筐体２に対して引出部５を円滑にスライドさせるためのガイド機構１２を備えている。このガイド機構１２は、筐体２内の両側部に設けられた筐体ガイドレール１３および筐体ローラ１４と、引出部５の両側部に設けられた引出ガイドレール１５および引出ローラ１６と、を備えている。
【００２２】
筐体ガイドレール１３は、図１および図２に示すように、ケース本体３の左右両側に位置する各側面部３ｄの内面それぞれに前部側から後部側に亘って設けられている。筐体ローラ１４は、図４に示すように、ケース本体３の左右両側の各側面部３ｄにおける各内面の前側部、つまり前枠部３ｂの左右両側に位置する後部にそれぞれ取り付けられている。
【００２３】
引出ガイドレール１５は、図１および図３に示すように、引出部５の左右両側の各外面にそれぞれ前部から後部のローラ取付部８に亘って設けられている。引出ローラ１６は、図５に示すように、引出部５の後端部の各ローラ取付部８における外側の各側部にそれぞれ取り付けられるように構成されている。
【００２４】
これにより、ガイド機構１２は、図１および図６に示すように、筐体２に対して引出部５を引出操作する際に、引出部５の引出ガイドレール１５がケース本体３の筐体ローラ１４上を移動すると共に、引出部５の引出ローラ１６がケース本体３の筐体ガイドレール１３の下面に当接して回転しながら移動することにより、筐体２に対して引出部５が円滑に引き出せるように構成されている。
【００２５】
この場合、このドロア装置１は、図１〜図３、図６に示すように、筐体２内に引出部５をスライドさせて収納する際に、筐体ローラ１４に引出ローラ１６よりも大きな負荷が加わるように構成されている。すなわち、筐体ローラ１４は、その上部に引出部５の引出ガイドレール１５が配置され、この状態で引出ローラ１６が筐体ガイドレールの下面に当接することにより、筐体ローラ１４を支点として引出部５を支持するように構成されている。
【００２６】
このため、このドロア装置１は、図１〜図３、図６に示すように、筐体２内に引出部５を挿入する際に、引出ローラ１６が筐体ローラ１４に接近して配置された際に、引出ローラ１６と筐体ローラ１４とに大きな負荷が加わり、引出ローラ１６が筐体ローラ１４から離れるに従って引出ローラ１６に加わる負荷が次第に軽くなるが、筐体ローラ１４に加わる負荷は常にほぼ一定になる構造になっている。これにより、筐体ローラ１４は、引出ローラ１６よりも強度が高い構造になっている。
【００２７】
すなわち、筐体ローラ１４と引出ローラ１６とのうち、筐体ローラ１４は、図７（ａ）および図７（ｂ）に示すように、ローラ本体３２とねじ部材３３とを備えている。ローラ本体３２は、ポリアセタール（ＰＯM）、ポリプロピレン（ＰＰ）、ポリエチレン（ＰＥ）などの合成樹脂によって形成されている。このローラ本体３２は、円形状に形成され、その中心部に取付孔３４が軸方向に貫通して設けられた構成になっている。
【００２８】
ねじ部材３３は、図７（ａ）および図７（ｂ）に示すように、ステンレスなどの金属で形成されている。このねじ部材３３は、頭部３３ａと首部３３ｂとねじ部３３ｃとを備え、これらが同一軸上に設けられた構成になっている。この場合、首部３３ｂは、その外径が頭部３３ａの外径よりも小さく形成されている。ねじ部３３ｃは、その外径が首部３３ｂの外径よりも小さく形成されている。
【００２９】
このため、ローラ本体３２の取付孔３４は、図７（ａ）および図７（ｂ）に示すように、ねじ部材３３の頭部３３ａが嵌め込まれる大径部３４ａと、首部３３ｂが挿入する小径部３４ｂと、を備えている。大径部３４ａは、軸方向の長さが頭部３３ａの軸方向の長さよりも長く形成されている。
【００３０】
この大径部３４ａには、図７（ａ）および図７（ｂ）に示すように、頭部３３ａが挿入されて回転可能に配置される嵌合部３４ｄと、頭部３３ａが圧入によって乗り越える抜止め部３４ｅと、が設けられている。また、このローラ本体３２の取付孔３４の小径部３４ｂは、軸方向の長さが首部３３ｂの軸方向の長さよりも短く形成されている。
【００３１】
これにより、ねじ部材３３は、図７（ａ）および図７（ｂ）に示すように、頭部３３ａが取付孔３４の大径部３４ａ内の嵌合部３４ｄに嵌め込まれた際に、頭部３３ａが取付孔３４の大径部３４ａ内から外部に突出することなく取付孔３４内に回転可能に配置されてローラ本体３２と一体化されるように構成されている。
【００３２】
また、このねじ部材３３は、図７（ａ）および図７（ｂ）に示すように、頭部３３ａが取付孔３４の大径部３４ａ内の嵌合部３４ｄに嵌め込まれた際に、首部３３ｂが取付孔の小径部３４ｂ内に配置され、かつねじ部３３ｃ側に位置する首部３３ｂの内端部が小径部３４ｂから外部に突出し、この状態でローラ本体３２が回転可能な状態でローラ本体３２と一体化されるように構成されている。
【００３３】
これにより、筐体ローラ１４は、図２および図４に示すように、ねじ部材３３のねじ部３３ｃによってケース本体３の両側の側面部３ｄに取り付けられるように構成されている。すなわち、この筐体ローラ１４は、ケース本体３の両側の側面部３ｄに設けられた取付孔（図示せず）にねじ部材３３のねじ部３３ｃを挿入させてナット（図示せず）で締め付けることにより、ケース本体３の両側の側面部３ｄに取り付けられるように構成されている。
【００３４】
この場合、この筐体ローラ１４は、図２および図４に示すように、ねじ部材３３のねじ部３３ｃがナット（図示せず）によって締め付けられた際に、図７（ｂ）に示すように、ねじ部材３３の首部３３ｂの内端部が取付孔３４の小径部３４ｂから突出していることにより、この突出した首部３３ｂの内端部がケース本体３の側面部３ｄに押し当てられて、ローラ本体３２の側面がケース本体３の側面部３ｄに接触しないように構成されている。
【００３５】
このため、この筐体ローラ１４は、図２および図４に示すように、ねじ部材３３のねじ部３３ｃがナット（図示せず）によって締め付けられて、ケース本体３の側面部３ｄに取り付けられて固定され、この状態でローラ本体３２がねじ部材３３の頭部３３ａおよび首部３３ｂを中心に回転するように構成されている。
【００３６】
一方、引出ローラ１６は、図８および図９に示すように、ローラ本体１７とねじ部材１８とを備えている。ローラ本体１７は、筐体ローラ１４のローラ本体３２と同様、ポリアセタール（ＰＯM）、ポリプロピレン（ＰＰ）、ポリエチレン（ＰＥ）などの合成樹脂によって形成されている。このローラ本体１７は、円筒状のローラ部２０と、このローラ部２０と同心円状に設けられた軸受部である円筒部２１と、を備えている。
【００３７】
この場合、ローラ部２０は、図８および図９に示すように、内径が円筒部２１の外径よりも十分に大きく形成されている。このローラ部２０の軸方向の一端部（図９（ｂ）では左端部）には、側壁２０ａが設けられている。これにより、円筒部２１は、軸方向の一端部側（図９（ｂ）では左端部側）がローラ部２０の側壁２０ａに一体に形成されている。
【００３８】
この円筒部２１の内周面には、図８および図９に示すように、複数の抜止め突起２２が設けられている。これら複数の抜止め突起２２は、図８（ｂ）に示すように、円筒部２１の内周面における同一円周上の複数箇所、例えば１２０度の角度間隔で３箇所にそれぞれ半球状に突出して設けられている。
【００３９】
この場合、ローラ部２０の内周面と円筒部２１の外周面との間には、図８および図９に示すように、複数のくり抜き部２３が複数の仕切リブ２４によって設けられている。複数のくり抜き部２３は、複数の抜止め突起２２に対応して設けられ、円筒部２１の径方向への弾性変形を可能にするように構成されている。複数の仕切リブ２４は、ローラ部２０の内周面と円筒部２１の外周面とを連結して円筒部２１の径方向への弾性変形を規制するように構成されている。
【００４０】
すなわち、これら複数の仕切リブ２４は、図８および図９に示すように、複数の抜止め突起２２間のほぼ中間部にそれぞれ位置して、１２０度の角度間隔で３箇所に設けられている。また、これら複数の仕切リブ２４の放射方向の各中間部には、仕切リブ２４の弾性変形を規制する変形規制部２４ａが設けられている。この変形規制部２４ａは、ほぼ円柱状に形成され、その外径が仕切リブ２４の肉厚よりも大きく形成されている。
【００４１】
これにより、円筒部２１は、図８および図９に示すように、複数の抜止め突起２２が複数のくり抜き部２３の各中間部に対応して設けられていることにより、複数のくり抜き部２３に対応する箇所が径方向に弾性変形するように構成されている。また、この円筒部２１は、複数の仕切リブ２４が複数の抜止め突起２２の間に位置して設けられていることにより、円筒部２１の径方向への弾性変形が規制されるように構成されている。
【００４２】
また、この円筒部２１は、図９（ｂ）に示すように、軸方向の両端部がローラ部２０の軸方向の両端部よりも軸方向に突出して設けられている。このため、ローラ本体１７は、ケース本体３の筐体ガイドレール１３の下面に当接して回転移動する際に、ケース本体３の側面部３ｄに円筒部２１の端面のみが接触することにより、接触面積を小さくして摩擦抵抗を最小限に軽減するように構成されている。
【００４３】
一方、ねじ部材１８は、図８および図９に示すように、頭部２５とねじ部２６とを備え、これらがステンレスなどの金属によって一体に形成されている。頭部２５は、ローラ本体１７の円筒部２１内に回転自在に挿入するものであり、外径が円筒部２１の内径と同じか、それよりも僅かに小さい大きさで、かつねじ部２６の外径よりも大きく形成されている。
【００４４】
この頭部２５は、図８および図９に示すように、その軸方向の長さが円筒部２１の軸方向の長さと同じ長さに形成されている。この場合、ねじ部２６は、頭部２５の一端部（図９（ｂ）では左端部）に頭部２５と同一軸上に設けられ、軸方向の長さが頭部２５の軸方向の長さとほぼ同じか、それよりも長く形成されている。
【００４５】
また、頭部２５の外周面には、図８および図９に示すように、頭部２５が円筒部２１内に挿入された際に、円筒部２１の内周面に設けられた複数の抜止め突起２２が回転移動可能に係合する係合溝部２７が環状に設けられている。すなわち、この係合溝部２７は、半円弧状の環状溝であり、複数の抜止め突起２２が係合した状態で係合溝部２７に沿って摺動することにより、頭部２５が円筒部２１内で相対的に回転するように構成されている。
【００４６】
また、この頭部２５は、図９（ｂ）に示すように、複数の抜止め突起２２が係合溝部２７に係合した際に、頭部２５におけるねじ部２６と反対側の外端面２５ａが円筒部２１内から外部に突出することなく円筒部２１内に配置され、ねじ部２６側の内端面２５ｂが円筒部２１内から外部に突出して配置されるように構成されている。この場合、頭部２５の内端面２５ｂには、図９（ｂ）に示すように、多数の凹凸部が放射状に形成された滑止め部２８が設けられている。
【００４７】
また、頭部２５の外端面２５ａにおける外周縁には、図８および図９に示すように、傾斜面２９が設けられている。この傾斜面２９は、頭部２５を円筒部２１内に挿入し易くすると共に、頭部２５の外端面２５ａの外周部が円筒部２１内の複数の抜止め突起２２に当接した際に、複数の抜止め突起２２を乗り越え易くするためのものである。
【００４８】
すなわち、頭部２５は、図９（ｂ）に示すように、外端面から係合溝部２７までの長さが、頭部２５の傾斜面２９によって短く形成されている。このため、頭部２５は、傾斜面２９の外周面が複数の抜止め突起２２を乗り越える際に、速やかにかつ円滑に乗り越えるように構成されている。
【００４９】
これにより、ねじ部材１８は、図８および図９に示すように、頭部２５の傾斜面２９側がローラ部２０の側壁２０ａ側に位置する円筒部２１の端部から円筒部２１内に挿入され、この挿入された頭部２５の傾斜面２９の外周部が円筒部２１内の複数の抜止め突起２２を乗り越えて、頭部２５の係合溝部２７に複数の抜止め突起２２が係合するように構成されている。
【００５０】
すなわち、このねじ部材１８は、図８および図９に示すように、頭部２５の傾斜面２９の外周部が円筒部２１内の複数の抜止め突起２２を乗り越える際に、頭部２５の傾斜面２９によって円筒部２１を円滑に径方向に押し広げるように弾性変形させて、頭部２５の係合溝部２７に複数の抜止め突起２２を係合させることにより、ローラ本体１７に回転可能に取り付けられてローラ本体１７と一体化されるように構成されている。
【００５１】
このため、引出ローラ１６は、図１、図３および図５に示すように、ねじ部材１８のねじ部２６が引出部５の後端部に設けられたローラ取付部８の取付孔８ａに挿入されてナット３０によって締め付けられることにより、引出部５のローラ取付部８に取り付けられるように構成されている。
【００５２】
この場合、引出ローラ１６は、図８および図９に示すように、ねじ部材１８のねじ部２６が引出部５のローラ取付部８の取付孔８ａに挿入されてナット３０によって締め付けられた際に、頭部２５の内端面２５ｂの滑止め部２８が引出部５のローラ取付部８に押し付けられるように構成されている。
【００５３】
これにより、引出ローラ１６は、図１、図３および図５に示すように、頭部２５の滑止め部２８が引出部５のローラ取付部８に押し付けられることにより、ねじ部材１８がローラ取付部８に対して回転することなく固定され、この状態でローラ本体１７がねじ部材１８の頭部２５を中心に回転するように構成されている。
【００５４】
この場合、引出ローラ１６は、図１、図３および図５に示すように、頭部２５の滑止め部２８が引出部５のローラ取付部８に押し付けられた際に、図９（ｂ）に示すように、頭部２５の内端面２５ｂが円筒部２１内から突出することにより、円筒部２１の端面がローラ取付部８に接触することなく配置されるように構成されている。
【００５５】
また、この引出ローラ１６は、図１、図３および図５に示すように、頭部２５の滑止め部２８が引出部５のローラ取付部８に押し付けられた際に、図９（ｂ）に示すように、頭部２５の外端面２５ａが円筒部２１内から外部に突出することなく、円筒部２１内に配置されていることにより、頭部２５の外端面２５ａがケース本体３の側面部３ｄに接触しないように構成されている。
【００５６】
ところで、筐体ローラ１４と引出ローラ１６とは、図１および図６に示すように、ローラ本体３２、１７との外径が同じ大きさで、かつローラ本体３２、１７の軸方向の長さも同じ長さに形成されている。この場合、引出ローラ１６は、ケース本体３の側面部３ｄに対する円筒部２１の端部の接触面積が、引出部５の側面に対する筐体ローラ１４の側面の接触面積よりも小さく形成されている。
【００５７】
すなわち、引出ローラ１６の接触面積は、ローラ本体１７の円筒部２１における端部の端面の面積であり、筐体ローラ１４の接触面積は、ローラ本体３２の側面の面積である。このため、筐体ローラ１４のローラ本体３２と引出ローラ１６のローラ本体１７との外径が同じ大きさであれば、引出ローラ１６の接触面積は、筐体ローラ１４の接触面積よりも大幅に小さい。
【００５８】
また、筐体ローラ１４は、その強度が引出ローラ１６の強度よりも高い構造になっている。すなわち、引出ローラ１６は、ローラ本体１７にくり抜き部２３が設けられており、筐体ローラ１４は、ローラ本体３２にくり抜き部２３が設けられていない。このため、筐体ローラ１４は、その強度が引出ローラ１６よりも高い構造になっている。
【００５９】
次に、このようなドロア装置１の作用について説明する。
まず、筐体２内に筐体ローラ１４を取り付ける場合には、予め、ローラ本体３２とねじ部材３３を一体化する。このときには、ねじ部材３３のねじ部をローラ本体３２の取付孔３４に挿入させて首部３３ｂを取付孔３４の小径部３４ｂに挿入させると共に、頭部３３ａを取付孔３４の大径部３４ａに圧入によって嵌め込む。
【００６０】
すなわち、ねじ部材３３の頭部３３ａを取付孔３４の大径部３４ａに嵌め込む際には、大径部３４ａ内に設けられた抜止め部３４ｅを頭部３３ａが乗り越えるように、頭部３３ａを大径部３４ａ内に圧入によって嵌め込む。これにより、頭部３３ａが大径部３４ａの嵌合部３４ｄに嵌め込まれると共に、首部３３ｂが取付孔３４の小径部３４ｂに挿入され、ねじ部３３ｃが小径部３４ｂから外部に突出する。
【００６１】
この状態では、頭部３３ａが大径部３４ａの嵌合部３４ｄに回転可能に配置されて、頭部３３ａが取付孔３４の大径部３４ａから突出することなく、大径部３４ａ内に配置される。また、首部３３ｂは、取付孔３４の小径部３４ｂに回転可能に配置されて、ねじ部３３ｃ側の首部３３ｂの端部が小径部３４ｂから突出する。これにより、ローラ本体３２にねじ部材３３が取り付けられて、ローラ本体３２とねじ部材３３とが一体化される。
【００６２】
そして、ローラ本体３２とねじ部材３３とが一体化された筐体ローラ１４を筐体２内に取り付ける。このときには、ねじ部材３３のねじ部３３ｃを筐体２のケース本体３における側面部３ｄの前部、つまりに前枠部３ｂの後部に設けられた取付孔（図示せず）に挿入させてナット（図示せず）によって締め付ける。これにより、筐体ローラ１４がケース本体３の側面部３ｄの内面に取り付けられる。
【００６３】
この場合には、ねじ部材３３の頭部２５の内端面がケース本体３の側面部３ｄに押し付けられる。このため、筐体ローラ１４は、ねじ部材３３がケース本体３の側面部３ｄに固定される。また、このときには、ねじ部材３３の首部３３ｂの端部が円筒部２１内から突出していることにより、ローラ本体３２の軸方向の側面がケース本体３の側面部３ｄに接触することなく配置される。これにより、筐体ローラ１４のローラ本体３２がねじ部材３３を中心に円滑に回転する状態になる。
【００６４】
一方、引出部５に引出ローラ１６を取り付ける場合には、筐体ローラ１４と同様、予め、ローラ本体１７とねじ部材１８を一体化する。このときには、ねじ部材１８の頭部２５の傾斜面２９側をローラ部２０の側壁２０ａ側に位置する円筒部２１の端部側から円筒部２１内に挿入する。このときには、頭部２５の傾斜面２９によって頭部２５が円筒部２１内に円滑に挿入する。
【００６５】
そして、挿入された頭部２５の傾斜面２９の外周面を円筒部２１の内周面に設けられた複数の抜止め突起２２に押し当てて乗り越えさせる。このときには、複数の抜止め突起２２がローラ部２０と円筒部２１との間に複数の仕切リブ２４によって設けられた複数のくり抜き部２３にそれぞれ対応して設けられているので、頭部２５の傾斜面２９の外周面によって円筒部２１が円滑に径方向に押し広げられるように弾性変形する。
【００６６】
すなわち、頭部２５の傾斜面２９の外周面が円筒部２１内の複数の抜止め突起２２に押し当てられると、頭部２５の傾斜面２９の外周面によってくり抜き部２３に対応する箇所の円筒部２１が径方向に押し広げられるように弾性変形する。このため、頭部２５の傾斜面２９の外周面が複数の抜止め突起２２を乗り越えて、複数の抜止め突起２２が頭部２５の係合溝部２７に係合する。
【００６７】
このときには、頭部２５の外端面から係合溝部２７までの長さが、頭部２５の傾斜面２９によって短く形成されているので、頭部２５の傾斜面２９の外周面が複数の抜止め突起２２を速やかにかつ円滑に乗り越える。また、このときには、複数の仕切リブ２４によって円筒部２１の径方向への弾性変形が規制されているので、頭部２５の係合溝部２７に対する複数の抜止め突起２２の係合強度が確保される。これにより、ねじ部材１８がローラ本体１７に回転可能な状態で取り付けられてローラ本体１７と一体化される。
【００６８】
この状態では、複数の抜止め突起２２が円筒部２１の内周面における同一円周上に設けられ、頭部２５の係合溝部２７が頭部２５の外周面に環状に設けられていることにより、頭部２５の係合溝部２７に係合した複数の抜止め突起２２が頭部２５の係合溝部２７に沿って回転方向に移動可能な状態になる。また、この状態では、頭部２５の傾斜面２９側の外端面２５ａが円筒部２１内から外部に突出することなく円筒部２１内に配置され、ねじ部２６側の内端面２５ｂが円筒部２１内から外部に突出して配置される。
【００６９】
そして、ローラ本体１７とねじ部材１８とが一体化された引出ローラ１６を引出部５に取り付ける場合には、ねじ部材１８のねじ部２６を引出部５の後端部に設けられたローラ取付部８の取付孔８ａに挿入させてナット３０によって締め付ける。これにより、引出ローラ１６が引出部５のローラ取付部８に取り付けられる。
【００７０】
このときには、ねじ部材１８の頭部２５の内端面２５ｂに設けられた滑止め部２８が引出部５のローラ取付部８に押し付けられる。このため、引出ローラ１６は、ねじ部材１８がローラ取付部８に対して回転することなく固定される。また、このときには、ねじ部材１８の頭部２５の内端面２５ｂが円筒部２１内から突出していることにより、ローラ部２０の軸方向の端部よりも突出した円筒部２１の軸方向の端面がローラ取付部８に接触することなく配置される。
【００７１】
このように、筐体ローラ１４が筐体２のケース本体３における各側面部３ｄの内面の前側部に取り付けられ、かつ引出ローラ１６が引出部５のローラ取付部８に取り付けられた状態では、予め、筐体２のケース本体３における左右両側の側面部３ｄの各内面に、筐体ガイドレール１３が一体に形成されており、また引出部５の左右両側の各外面にも、引出ガイドレール１５が一体に形成されている。
【００７２】
そして、引出部５を筐体２内に挿入する場合には、図６に示すように、引出部５の後端部に設けられたローラ取付部８をケース本体３の前枠部３ｂの開口部３ｅからケース本体３内に挿入させる。このときには、引出部５の引出ガイドレール１５をケース本体３の側面部３ｄに取り付けられた筐体ローラ１４上に配置させると共に、引出部５のローラ取付部８に取り付けられた引出ローラ１６のローラ本体１７をケース本体３の筐体ガイドレール１３の下面に当接して配置させる。
【００７３】
この状態で、引出部５を筐体２内に押し込むと、引出部５が筐体２内に収納される。このときには、引出部５の引出ガイドレール１５がケース本体３の側面部３ｄに取り付けられた筐体ローラ１４上を移動すると共に、引出部５のローラ取付部８に取り付けられた引出ローラ１６のローラ本体１７がケース本体３の筐体ガイドレール１３の下面に当接して回転しながら移動する。このため、引出部５が円滑に移動して筐体２内に収納される。
【００７４】
この場合、引出ローラ１６のローラ本体１７がケース本体３の筐体ガイドレール１３の下面に当接して回転しながら移動する際には、ねじ部材１８の頭部２５の内端面２５ｂが円筒部２１内から突出し、円筒部２１の軸方向の端面がローラ取付部８に接触することなく配置されていることにより、ローラ本体１７がねじ部材１８の頭部２５を中心に円滑に回転する。
【００７５】
また、このときには、引出ローラ１６の頭部２５の外端面２５ａが円筒部２１内から外部に突出することなく円筒部２１内に配置されているので、頭部２５の外端面２５ａがケース本体３の側面部３ｄに接触することなく、ローラ本体１７が筐体ガイドレール１３の下面に当接して円滑に回転しながら移動する。この場合、円筒部２１は、軸方向の端部がローラ部２０の軸方向の端部よりも突出しているので、ローラ本体１７がケース本体３の側面部３ｄに接触しても、接触面積を小さくして摩擦抵抗を最小限に抑えることができる。
【００７６】
一方、筐体ローラ１４は、円形状に形成されているので、ローラ本体３２の側面が引出部５の側面に接触した際に、ローラ本体３２の側面全体が引出部５の側面に接触する。このため、引出ローラ１６は、ケース本体３の側面部３ｄに対する接触面が、筐体ローラ１４の引出部５の側面に対する接触面積よりも小さくなる。これにより、引出ローラ１６は、ケース本体３の側面部３ｄに対する摩擦抵抗が、筐体ローラ１４の引出部５の側面に対する摩擦抵抗よりも小さくなる。
【００７７】
このため、このドロア装置１では、引出部５が筐体２内をスライドする際に、筐体ローラ１４のローラ本体３２の外径と引出ローラ１６のローラ本体１７の外径とが同じ大きさであっても、引出ローラ１６のローラ本体１７の側面が筐体２のケース本体３における側面部３ｄの内側面に接触する摩擦抵抗が、筐体ローラ１４のローラ本体３２の側面が引出部５の外側面に接触する摩擦抵抗よりも小さい。
【００７８】
これにより、このドロア装置１では、引出部５が筐体２内をスライドする際における筐体ローラ１４と引出ローラ１６との両方の摩擦抵抗が軽減されるので、引出部５のスライド時における負荷が軽減され、引出部５が軽い力で筐体２内を円滑にスライドするため、引出部５のスライド操作性が向上する。
【００７９】
このように、この電子レジスタのドロア装置１によれば、筐体２内に引出部５がスライド収納される際に、引出部５に設けられた引出ローラ１６が筐体２に設けられた筐体ガイドレール１３に沿って相対移動するように且つ筐体２に設けられた筐体ローラ１４が引出部５に設けられた引出ガイドレール１５に沿って相対移動するように構成されているドロア装置１であって、引出ローラ１６の側面における筐体２への接触面積が筐体ローラ１４の側面における引出部５への接触面積よりも小さく設定されていることにより、引出部５のスライド時における負荷を軽減することができる。
【００８０】
また、この電子レジスタのドロア装置１によれば、内部の両側部に筐体ガイドレール１３が設けられた筐体２と、この筐体２内にスライド可能に収納され、かつ両側部に引出ガイドレール１５が設けられた引出部５と、この引出部５の奥側の両側部に設けられて、筐体２の筐体ガイドレール１３に沿って回転しながら移動する引出ローラ１６と、筐体２内における前部の両側部に設けられて、引出部５の引出ガイドレール１５が移動可能に配置される筐体ローラ１４と、を備え、筐体２の内面に対する引出ローラ１６の側面の接触面積が、引出部５の側面に対する筐体ローラ１４の側面の接触面積よりも小さく設定されていることにより、引出部５のスライド時における負荷を軽減することができる。
【００８１】
すなわち、このドロア装置では、筐体ローラ１４のローラ本体３２の外径と引出ローラ１６のローラ本体１７の外径とが同じ大きさであっても、引出ローラ１６のローラ本体１７の側面が筐体２のケース本体３における側面部３ｄの内側面に接触する接触面積を、筐体ローラ１４のローラ本体３２の側面が引出部５の外側面に接触する接触面積よりも小さいので、引出部５が筐体２内をスライドする際における引出ローラ１６の摩擦抵抗を筐体ローラ１４の摩擦抵抗よりも小さくすることができ、これにより引出部５のスライド時における全体の負荷を軽減して、引出部５を筐体２内で円滑にスライドさせることができるので、引出部５のスライド操作性を向上させることができる。
【００８２】
この場合、引出ローラ１６は、回転中心部に設けられた軸受部である円筒部２１の外端部が筐体２のケース本体３の側面部３ｄに接触し、筐体ローラ１４は、回転中心部を除く外側面が引出部５の側面に接触することにより、筐体２のケース本体３の側面部３ｄに接触する引出ローラ１６の接触面積を引出部５の側面に接触する筐体ローラ１４の接触面積よりも大幅に小さくすることができる。
【００８３】
すなわち、引出ローラ１６の接触面積は、ローラ本体１７の円筒部２１における端部の端面の面積であり、筐体ローラ１４の接触面積は、ローラ本体３２の側面の面積である。このため、筐体ローラ１４のローラ本体３２と引出ローラ１６のローラ本体１７との外径が同じ大きさであれば、引出ローラ１６の接触面積を、筐体ローラ１４の接触面積よりも大幅に小さくすることができる。
【００８４】
このため、このドロア装置１では、引出部５が筐体２内をスライドする際における引出ローラ１６の摩擦抵抗を筐体ローラ１４の摩擦抵抗よりも小さくすることができるので、引出部５のスライド時における摩擦抵抗による負荷を軽減することができ、引出部５を軽い力で円滑にスライドさせることができるので、引出部５のスライド操作性を向上させることができる。
【００８５】
さらに、このドロア装置１では、筐体ローラ１４が引出ローラ１６よりも強度が高い構造になっていることにより、筐体ローラ１４の摩擦抵抗が引出ローラ１６の摩擦抵抗よりも大きくても、筐体ローラ１４の耐久性を確保することができる。この場合、筐体２内で引出部５をスライドさせる際には、筐体ローラ１４に引出ローラ１６よりも大きな負荷が加わっても、筐体ローラ１４の耐久性を確保することができる。
【００８６】
このため、このドロア装置１では、筐体ローラ１４と引出ローラ１６とが異なる構造で、引出ローラ１６が筐体ローラ１４よりも低コストであることにより、装置全体の低コスト化を図ることができる。
【００８７】
なお、上述した実施形態では、電子レジスタのドロア装置１に適用した場合について述べたが、この発明は、必ずしも電子レジスタのドロア装置１である必要はなく、例えば引出部５を備えた家具などにも適用することができる。
【００８８】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８９】
（付記）
請求項１に記載の発明は、筐体内に引出部がスライド収納される際に、前記引出部に設けられた第１ローラが前記筐体に設けられた第１ガイドレールに沿って相対移動するように且つ前記筐体に設けられた第２ローラが前記引出部に設けられた第２ガイドレールに沿って相対移動するように構成されているドロア装置であって、前記第１ローラの側面における前記筐体への接触面積が前記第２ローラの側面における前記引出部への接触面積よりも小さく設定されていることを特徴とするドロア装置である。
【００９０】
請求項２に記載の発明は、内部の両側部に第１ガイドレールが設けられた筐体と、前記筐体内にスライド可能に収納され、かつ両側部に第２ガイドレールが設けられた引出部と、前記引出部の奥側の両側部に設けられて、前記筐体の前記第１ガイドレールに沿って回転しながら移動する第１ローラと、前記筐体内における前部の両側部に設けられて、前記引出部の前記第２ガイドレールが移動可能に配置される第２ローラと、を備え、前記筐体の側面に対する前記第１ローラの側面の接触面積が、前記引出部の側面に対する前記第２ローラの側面の接触面積よりも小さく設定されていることを特徴とするドロア装置である。
【００９１】
請求項３に記載の発明は、請求項１または請求項２に記載のドロア装置において、前記第１ローラと前記第２ローラとは、外径が同じ大きさで、前記第１ローラの前記接触面積が前記第２ローラの前記接触面積よりも小さく設定されていることを特徴とするドロア装置である。
【００９２】
請求項４に記載の発明は、請求項１〜請求項３のいずれかに記載のドロア装置において、前記第１ローラは、回転中心部に設けられた円筒状の軸受部の外端部が前記筐体の側面に接触し、前記第２ローラは、回転中心部を除く外側面が前記引出部の側面に接触することを特徴とするドロア装置である。
【００９３】
請求項５に記載の発明は、請求項１〜請求項４のいずれかに記載のドロア装置において、前記第２ローラは、前記第１ローラよりも強度が高く形成されていることを特徴とするドロア装置である。
【００９４】
請求項６に記載の発明は、内部の両側部に第１ガイドレールが設けられた筐体と、前記筐体内にスライド可能に収納され、かつ両側部に第２ガイドレールが設けられた引出部と、前記引出部の奥側の両側部に設けられて、前記筐体の前記第１ガイドレールに沿って回転しながら移動する第１ローラと、前記筐体内における前部の両側部に設けられて、前記引出部の前記第２ガイドレールが移動可能に配置される第２ローラと、を備え、前記筐体の側面に対する前記第１ローラの側面の接触面積が、前記引出部の側面に対する前記第２ローラの側面の接触面積よりも小さく設定されていることを特徴とするレジスタである。
【符号の説明】
【００９５】
１  ドロア装置
２  筐体
３  ケース本体
４  カバーケース
５  引出部
８  ローラ取付部
１２  ガイド機構
１３  筐体ガイドレール
１４  筐体ローラ
１５  引出ガイドレール
１６  引出ローラ
１７、３２  ローラ本体、
１８、３３  ねじ部材
２０  ローラ部
２１  円筒部
２２  抜止め突起
２３  くり抜き部
２４  仕切リブ
２４ａ  変形規制部
２５、３３ａ  頭部
２５ａ  外端面
２５ｂ  内端面
２６、３３ｃ  ねじ部
２７  係合溝部
２８  滑止め部
２９  傾斜面
３０  ナット
３３ｂ  首部
３４  取付孔
３４ａ  大径部
３４ｂ  小径部
３４ｄ  嵌合部
３４ｅ  抜止め部
【図１】
2019096082.tif 000003
【図２】
2019096082.tif 000004
【図３】
2019096082.tif 000005
【図４】
2019096082.tif 000006
【図５】
2019096082.tif 000007
【図６】
2019096082.tif 000008
【図７】
2019096082.tif 000009
【図８】
2019096082.tif 000010
【図９】
2019096082.tif 000011